(57)【要約】    【課題】  修景矢板壁を構築する手間を減らす。    【解決手段】  矢板壁２１前面に化粧パネル１を配列し、化粧パネルの配列方向の前側部と後側部を矢板壁に連結する。化粧パネルは、配列方向前側部にねじ穴５を、配列方向後側部にボルト結合部６とボルト差込部７を設け、連結具１６は前部にナット１９を螺合したボルト１８を貫通している。連結具は、前部をボルト１８とナット１９で配列方向前側部に固定すると共に後部を矢板壁前面に溶接などで固定し、化粧パネルは、連結具で配列方向前側部を矢板壁に連結し、ボルト１８の頭部を配列方向前方に突出し、次の化粧パネルは、前の既設化粧パネルの配列方向前方に配置し、ボルト差込部に既設化粧パネルのボルト１８の頭部を差し込み、下降して、ボルト結合部にボルト差込部内のボルト１８の頭部を嵌め込み、配列方向後側部を、既設化粧パネルに固定したボルト１８と連結具を経て矢板壁に連結する。【選択図】  図６
2007239383.tif 000002
【特許請求の範囲】
【請求項１】
矢板壁の前面に多数の化粧パネルを左右方向に配列して取り付ける修景矢板壁の構築法において、
化粧パネルは、配列方向の前側部と後側部に凹部を形成しており、配列方向前側部の凹部は、内面にねじ穴を配列方向前向きに開口し、配列方向後側部の凹部は、ボルト結合部とボルト差込部を上下位置に連通して設けており、
連結具は、前部にボルト孔を左右方向に貫通し、ボルト孔にボルトを貫通し、ボルトに螺合したナットをボルトの頭部と連結具の前部の間に配置しており、
矢板壁は、前面に受け具を固定し、受け具に化粧パネルを載せ、また、連結具は、前部を化粧パネルの配列方向前側部の凹部に挿入し、ボルトの先端を凹部のねじ穴に螺合し、
連結具は、前部をボルトとナットで化粧パネルの配列方向前側部に固定すると共に、後部を矢板壁の前面に固定し、化粧パネルは、連結具を経て配列方向前側部を矢板壁に連結し、配列方向前側部からボルトの頭部を配列方向前方に突出し、
矢板壁に化粧パネルを連結具で取り付けた後、次の化粧パネルは、前の既設化粧パネルの配列方向前側に配置し、配列方向後側部のボルト差込部に既設化粧パネルの配列方向前側部のボルトの頭部を差し込み、この状態で、次の化粧パネルは、下降して受け具に載せ、配列方向後側部のボルト結合部に、ボルト差込部内のボルトの頭部を嵌め込み、次の化粧パネルは、配列方向後側部を、既設化粧パネルの配列方向前側部に固定したボルトと連結具を経て矢板壁に連結し、化粧パネルを一枚ずつ順次同様に取り付け、
化粧パネルは、配列方向の前側部と後側部をそれぞれボルトと連結具で矢板壁に連結することを特徴とする修景矢板壁の構築法。
【請求項２】
連結具は、ボルト孔を前後方向に長い孔にし、化粧パネルの配列方向前側部に固定する位置を長孔のボルト孔とボルトの相対位置で前後に調節する構成にしたことを特徴とする請求項１に記載の修景矢板壁の構築法。
【請求項３】
化粧パネルの配列方向前側部に固定した連結具は、後部の少なくとも一部を化粧パネルの配列方向前方に突出する構成にしたことを特徴とする請求項１又は２に記載の修景矢板壁の構築法。
【請求項４】
ボルト差込部は、化粧パネルの配列方向後向き面と裏面に開口し、ボルトの頭部が化粧パネル配列方向後向き面側又は化粧パネル裏面側から差し込まれる構成にしたことを特徴とする請求項１、２又は３に記載の修景矢板壁の構築法。
【発明の詳細な説明】
【技術分野】
【０００１】
本発明は、矢板壁を化粧パネルで被覆した修景矢板壁の構築技術に関する。
【背景技術】
【０００２】
川や海などの岸辺には、矢板を岸に沿って隣接して打ち込み、多数の並列した矢板で土留め、水止めの壁を構成する。矢板壁は、水側の前面に多数の化粧パネルを並列して取り付け、人目に触れる前面を多数の並列した化粧パネルで被覆する。化粧パネルは、修景パネルであり、施工現場の景観と調和する意匠を表面に施している。
【０００３】
［特許文献１（特開平６−１６７０１１号公報）の技術］
化粧パネルは、プレキャストコンクリート板である。その裏面は、上端部に受け梁を突出し、その下側位置に受け金具を上下方向に沿って埋設している。受け金具は、釣り針形断面形状であり、溝形鋼のガイド金具の前側の側板部が挿入可能である。
【０００４】
岸辺に施工した鋼矢板壁は、前面にボルトと底板を上下位置に溶接する。ボルトには、ナットを螺合し、ガイド金具の後側の側板部を貫通し、更にナットを螺合する。両ナットの回転操作でガイド金具の前後位置を調整する。その後、ガイド金具と鋼矢板壁に山形鋼の固定金具を溶接し、鋼矢板壁の前面にガイド金具を上下方向に沿って固定する。
【０００５】
化粧パネルは、鋼矢板壁のガイド金具の上側に持ち上げる。化粧パネルの受け金具は、下端開口をガイド金具の前側の側板部の上端に差し込む。この状態で、化粧パネルは下降し、受け金具にガイド金具の前側の側板部を嵌め込み、化粧パネルの受け梁を鋼矢板壁の上に載せる。底板上面の化粧パネル前側位置に山形鋼の固定金具を溶接する。
【０００６】
鋼矢板壁と化粧パネル及び底板との間の隙間には、コンクリートを詰め込み、コンクリートに上記のボルト、ナットやガイド金具などを埋没する。
【０００７】
［特許文献２（特開平１０−２４５８２６号公報）の技術］
修景パネルは、裏面に係止金物を上下位置にそれぞれ取り付けている。係止金物は、下面に溝が開口し、溝の側壁に螺孔を貫通している。
【０００８】
鋼矢板壁は、前面に支持部材を上下位置にそれぞれ溶接する。支持部材は、上面に山形鋼の係止部材を横方向に沿って溶接する。修景パネルは、持ち上げ、係止金物の溝に係止部材を挿入する。係止金物の側壁の螺孔には、ボルトを螺合して貫通し、ボルトで係止金物の溝内の係止部材を押して固定し、ボルトに螺合したナットでボルトを係止金物に固定する。
【０００９】
【特許文献１】特開平６−１６７０１１号公報
【特許文献２】特開平１０−２４５８２６号公報
【発明の開示】
【発明が解決しようとする課題】
【００１０】
［背景技術の課題］
特許文献１の技術においては、化粧パネルを鋼矢板壁に取り付けるため、重い化粧パネルを大きく上下動して、長尺の釣り針形断面形状の受け金具に長尺のガイド金具を嵌め込む。特殊形状の形鋼や多数の長尺の形鋼を要する。修景矢板壁の構築に多くの手間が掛かる。
【００１１】
特許文献２の技術においては、修景パネルを鋼矢板壁に取り付けるため、鋼矢板壁と修景パネルとの間の狭い隙間で、係止金物の溝に係止部材を挿入し、ボルトとナットをそれぞれ操作する。修景矢板壁の構築に多くの手間が掛かる。
【００１２】
［課題を解決するための着想］
修景矢板壁は、矢板壁の前面に化粧パネルを一枚ずつ順次左右方向に配列していく点に着眼した。化粧パネルは、その左右の側部、即ち、配列方向の前側部と後側部を矢板壁に連結して取り付けることにした。具体的には、次の通りである。
【００１３】
化粧パネル１は、図１に例示するように、配列方向の前側部と後側部に凹部２、３を形成している。配列方向前側部の凹部２は、内面にねじ穴５を配列方向前向きに開口している。配列方向後側部の凹部３は、ボルト結合部６とボルト差込部７を上下位置に連通して設けている。
【００１４】
連結具１６は、図２に拡大して例示するように、前部にボルト孔１７を左右方向に貫通している。ボルト孔１７は、前後方向に長い孔にしている。ボルト孔１７には、ボルト１８を貫通し、ボルト１８に螺合したナット１９をボルト１８の頭部と連結具１６の前部の間に配置している。
【００１５】
施工現場の矢板壁２１は、図３と図４に例示するように、前面に受け具３１を溶接などで固定する。受け具３１には、化粧パネル１を載せる。また、連結具１６は、図５と図６に例示するように、前部を化粧パネル１の配列方向前側部の凹部２に挿入し、ボルト１８の先端を凹部２のねじ穴５に螺合する。
【００１６】
そして、連結具１６は、図５と図６に例示するように、前部をボルト１８とナット１９で化粧パネル１の配列方向前側部の凹部２に固定する。連結具１６の後部は、少なくとも一部が化粧パネル１の配列方向前方に突出する。この連結具１６の後部は、矢板壁２１の前面に溶接などで固定する。すると、化粧パネル１は、配列方向前側部が連結具１６を経て矢板壁２１に連結される。また、化粧パネル１は、配列方向前側部からボルト１８の頭部が配列方向前方に突出する。
【００１７】
矢板壁２１に化粧パネル１を連結具１６で取り付けた後、次の化粧パネル１は、前の既設化粧パネル１の配列方向前側に配置し、配列方向後側部のボルト差込部７に既設化粧パネルの配列方向前側部のボルト１８の頭部を差し込む。ボルト差込部７は、化粧パネル１の配列方向後向き面と裏面に開口し、ボルト１８の頭部が化粧パネル１配列方向後向き面側からでも、化粧パネル１裏面側からでも差し込まれる。
【００１８】
この差込状態で、次の化粧パネル１は、下降して受け具３１に載せ、配列方向後側部のボルト結合部６に、ボルト差込部７内のボルト１８の頭部を嵌め込む。すると、次の化粧パネル１は、図６に例示するように、配列方向後側部が、既設化粧パネル１の配列方向前側部に固定したボルト１８と連結具１６を経て矢板壁２１に連結される。このような作業を繰り返して、多数の化粧パネルを一枚ずつ順次同様に取り付ける。すると、化粧パネル１は、配列方向の前側部と後側部がそれぞれボルト１８と連結具１６で矢板壁２１に連結されて取り付けられる。
【００１９】
矢板壁２１は、連結具１６の後部を固定する部分の位置が施工誤差で前後にずれていることがある。このようなときには、化粧パネル１を設計位置に配置するため、連結具１６は、化粧パネル１の配列方向前側部に固定する位置をボルト１８と長孔のボルト孔１７の相対位置で前後に調節する。
【課題を解決するための手段】
【００２０】
１）矢板壁の前面に多数の化粧パネルを左右方向に配列して取り付ける修景矢板壁の構築法において、
化粧パネル１は、配列方向の前側部と後側部に凹部２、３を形成しており、配列方向前側部の凹部２は、内面にねじ穴５を配列方向前向きに開口し、配列方向後側部の凹部３は、ボルト結合部６とボルト差込部７を上下位置に連通して設けており、
連結具１６は、前部にボルト孔１７を左右方向に貫通し、ボルト孔１７にボルト１８を貫通し、ボルト１８に螺合したナット１９をボルト１８の頭部と連結具１６の前部の間に配置しており、
矢板壁２１は、前面に受け具３１を固定し、受け具３１に化粧パネル１を載せ、また、連結具１６は、前部を化粧パネル１の配列方向前側部の凹部２に挿入し、ボルト１８の先端を凹部２のねじ穴５に螺合し、
連結具１６は、前部をボルト１８とナット１９で化粧パネル１の配列方向前側部に固定すると共に、後部を矢板壁２１の前面に固定し、化粧パネル１は、連結具１６を経て配列方向前側部を矢板壁２１に連結し、配列方向前側部からボルト１８の頭部を配列方向前方に突出し、
矢板壁２１に化粧パネル１を連結具１６で取り付けた後、次の化粧パネル１は、前の既設化粧パネル１の配列方向前側に配置し、配列方向後側部のボルト差込部７に既設化粧パネルの配列方向前側部のボルト１８の頭部を差し込み、この状態で、次の化粧パネル１は、下降して受け具３１に載せ、配列方向後側部のボルト結合部６に、ボルト差込部７内のボルト１８の頭部を嵌め込み、次の化粧パネル１は、配列方向後側部を、既設化粧パネル１の配列方向前側部に固定したボルト１８と連結具１６を経て矢板壁２１に連結し、化粧パネルを一枚ずつ順次同様に取り付け、
化粧パネル１は、配列方向の前側部と後側部をそれぞれボルト１８と連結具１６で矢板壁２１に連結することを特徴とする。
【００２１】
２）上記の修景矢板壁の構築法において、
連結具１６は、ボルト孔１７を前後方向に長い孔にし、化粧パネル１の配列方向前側部に固定する位置を長孔のボルト孔１７とボルト１８の相対位置で前後に調節する構成にしたことを特徴とする。
【００２２】
３）上記の修景矢板壁の構築法において、
化粧パネル１の配列方向前側部に固定した連結具１６は、後部の少なくとも一部を化粧パネル１の配列方向前方に突出する構成にしたことを特徴とする。
【００２３】
４）上記の修景矢板壁の構築法において、
ボルト差込部７は、化粧パネル１の配列方向後向き面と裏面に開口し、ボルト１８の頭部が化粧パネル１配列方向後向き面側又は化粧パネル１裏面側から差し込まれる構成にしたことを特徴とする。
【発明の効果】
【００２４】
修景矢板壁の構築に多くの手間が掛からない。
【発明を実施するための最良の形態】
【００２５】
現場に施工した矢板壁は、前面に化粧パネルを一枚ずつ順次左右方向に配列して取り付ける。即ち、修景矢板壁を構築する。
【００２６】
［構築部材］
化粧パネルは、修景パネルであり、表面に施工現場の景観と調和する意匠を施している。プレキャストコンクリート板である。この化粧パネル１は、図１に示すように、左右の側部、配列方向の前側部と後側部にそれぞれ凹部２、３を形成している。
【００２７】
配列方向前側部の凹部２は、化粧パネル１の配列方向前向き面と裏面に開口している。この凹部２は、内面の配列方向前向き面に、孔付きの固定具４を固着し、固定具４の孔を経てインサートのねじ穴５を配列方向前向きに開口している。固定具４は、孔付きの平鋼である。
【００２８】
配列方向後側部の凹部３は、化粧パネル１の配列方向後向き面と裏面に開口している。この凹部３は、ボルト結合部６とボルト差込部７を上下位置に連通して設けている。
【００２９】
ボルト差込部７は、化粧パネル１の配列方向後向き面と裏面に開口し、左右方向、配列方向に沿ったボルトの頭部が化粧パネル１配列方向後向き面側からでも、化粧パネル１裏面側からでも差し込まれる。
【００３０】
ボルト結合部６は、下面を開口した箱形状であり、下面開口の入口をボルト差込部７の上面開口に連通している。箱形状のボルト結合部６は、化粧パネル１配列方向後向き面側の側板を逆Ｕ字形状の嵌込片８にしている。嵌込片８を含む箱形構造体は、鋼製である。嵌込片８の溝には、ボルト差込部７に差し込まれたボルトの頭部の隣接部、首部が嵌め込まれ、嵌込片８の内側にボルトの頭部が収納されて、ボルトがその頭部と嵌込片８で抜け止めされる。ボルト結合部６に頭部が結合されたボルトは、凹部２のねじ穴５と同心状になる。
【００３１】
また、化粧パネル１は、裏面の上端部に連結片９を左右位置にそれぞれ突出して設けている。連結片９は、帯状の平鋼である。化粧パネル１は、ボルト結合部６の裏側に収納部１０を設けている。
【００３２】
連結具１６は、図２に拡大して示すように、前後方向に沿った板状の前部と左右方向に沿った板状の後部からなる。Ｌ形の鋼板である。この前部には、ボルト孔１７を左右方向に貫通している。ボルト孔１７は、前後方向に長い孔にしている。このボルト孔１７には、ボルト１８を貫通し、ボルト１８に螺合したナット１９を、ボルト１８の頭部と連結具１６の前部の間に配置している。ボルト１８とナット１９は、鋼製である。
【００３３】
矢板壁２１は、図３と図４に示すように、鋼矢板２２を岸に沿って隣接して打ち込み、多数の並列した鋼矢板２２で護岸用の壁を構成している。この鋼製の矢板壁２１は、水側の前面と陸側の後面に、それぞれ、鋼矢板２２の凹面と凸面が交互に配列されている。
【００３４】
［施工法］
矢板壁２１に化粧パネル１を一枚ずつ順次左右方向に配列して取り付ける。次のように施工する。
【００３５】
矢板壁２１は、図３と図４に示すように、前面に受け具３１を水平に溶接で固定する。受け具３１は、山形鋼である。受け具３１の固定位置は、矢板壁２１に取り付けた化粧パネル１の下端になる位置である。また、矢板壁２１は、上端部に連結腕３２を溶接で固定し、連結腕３２の前部を矢板壁２１の上側に配置する。連結腕３２は、屈曲した帯状の平鋼である。
【００３６】
矢板壁２１の前側に突出した受け具３１には、図５と図６に示すように、化粧パネル１を載せる。また、連結腕３２の前部には、化粧パネル１の裏側に突出した連結片９を載せて重ねる。
【００３７】
化粧パネル１は、受け具３１に載せた後、又は、載せる前、配列方向前側部の凹部２に連結具１６の前部を挿入し、ボルト１８の先端を凹部２のねじ穴５に螺合する。そして、化粧パネル１を受け具３１に載せた後、連結具１６の前部は、凹部２内の固定具４に重ねてボルト１８とナット１９で凹部２に固定する。連結具１６は、後部が化粧パネル１の裏側に突出すると共に、後部の一部が化粧パネル１の配列方向前方に突出する。連結具１６の後部は、矢板壁２１の前面に重ねて溶接で固定する。また、化粧パネル１裏側の連結片９は、矢板壁２１上の連結腕３２前部に溶接で固定する。
【００３８】
すると、化粧パネル１は、配列方向前側部が連結具１６を経て矢板壁２１に連結され、上部が連結片９と連結腕３２を経て矢板壁２１に連結される。即ち、矢板壁２１に取り付けられる。また、化粧パネル１は、配列方向前側部からボルト１８の頭部が配列方向前方に突出する。連結具１６の前部とナット１９は、凹部２内に没入する。
【００３９】
矢板壁２１は、連結具１６の後部を固定する鋼矢板２２の位置が施工誤差で前後にずれていることがある。このようなときには、化粧パネル１を設計位置に配置するため、連結具１６は、化粧パネル１の配列方向前側部に固定する位置をボルト１８と長孔のボルト孔１７の相対位置で前後に調節する。
【００４０】
矢板壁２１に化粧パネル１を取り付けた後、次の化粧パネル１を矢板壁２１の受け具３１に載せて前の化粧パネル１、既設化粧パネル１の配列方向前側に配置する。次の化粧パネル１は、少し持上げて既設化粧パネル１側に移動し、配列方向後側部のボルト差込部７に既設化粧パネルの配列方向前側部の突出ボルト１８の頭部を差し込む。また、次の化粧パネル１の配列方向後向き面は、既設化粧パネル１の配列方向前向き面に重ねる。この状態で、次の化粧パネル１は、下ろして受け具３１に載せ、配列方向後側部のボルト結合部６に、ボルト差込部７内に差し込まれていたボルト１８の頭部を嵌め込む。すると、次の化粧パネル１は、図６に示すように、配列方向後側部が、既設化粧パネル１の配列方向前側部に固定したボルト１８と連結具１６を経て矢板壁２１に連結される。また、次の化粧パネル１裏側の連結片９は、矢板壁２１上の連結腕３２の前部に載る。この連結片９は、連結腕３２の前部に溶接で固定する。次の化粧パネル１は、既設化粧パネル１に隣接し並列して設置される。
【００４１】
このような作業を繰り返して、多数の化粧パネル１を一枚ずつ矢板壁２１の前面に左右方向に沿って取り付ける。すると、各化粧パネル１は、配列方向の前側部と後側部がボルト１８と連結具１６で矢板壁２１に連結されて取り付けられる。
【００４２】
多数の化粧パネル１を矢板壁２１に取り付けた後、図７に示すように、矢板壁２１の上に蓋板３６を載せ、蓋板３６の前端を化粧パネル１の裏面に当て、矢板壁２１と化粧パネル１の間の隙間の上端開口を閉鎖する。蓋板３６は、プレキャストコンクリート板である。蓋板３６の上に突出した化粧パネル１上端部の裏側には、図８に示すように、コンクリート３７を打設し、コンクリート３７に蓋板３６、連結腕３２、連結片９と矢板壁２１の一部を埋没する。化粧パネル１は、上端部がコンクリート３７で矢板壁２１に固着される。
【００４３】
図３〜図８に示す上記の施工例は、矢板壁２１前面の凸面と化粧パネル１の裏面の間に隙間がある。そのような隙間がなく、矢板壁２１前面の凸面に化粧パネル１の裏面が接する場合は、次のように施工する。
【００４４】
化粧パネル１の凹部２に連結具１６の前部を固定する際、図９と図１０に示すように、連結具１６は、後部の一部を化粧パネル１の配列方向前方に突出する一方、後部の後面が化粧パネル１の裏面と同一面になる位置に配置する。化粧パネル１は、連結具１６をこのような位置に固定した状態で、順次設置する。即ち、既設化粧パネル１の突出ボルト１８に次の化粧パネル１のボルト結合部６を結合して、次の化粧パネル１を既設化粧パネル１の隣に設置する。すると、既設化粧パネル１の配列方向前方に突出する連結具１６の後部は、次の化粧パネル１のボルト結合部６裏側の収納部１０に収納される。次の化粧パネル１も、矢板壁２１前面の凸面に接して設置される。その他の点は、上記の施工例と同様である。
【００４５】
図３〜図８に示す上記の施工例は、矢板壁２１と化粧パネル１の間の隙間にはコンクリート３７を詰めない。その隙間にコンクリートを詰める場合は、次のように施工する。
【００４６】
矢板壁２１の前側に固定する受け具３１は、矢板壁２１と化粧パネル１の間の隙間の下端開口を閉鎖する形状にする。その隙間の上端開口を閉鎖する蓋板３６は、使用しない。その隙間に上端開口からコンクリートを流し込む。すると、このコンクリートで化粧パネル１が矢板壁２１に固着される。その他の点は、図３〜図８の上記の施工例と同様である。
【００４７】
［変形例］
１）上記の実施形態において、受け具３１と矢板壁２１の固定に、溶接を用いるが、ボルトナットのような他の固定手段を用いる。連結腕３２と矢板壁２１の固定、連結具１６と矢板壁２１の固定、連結片９と連結腕３２の固定についても、同様である。
２）上記の実施形態において、矢板壁２１は、鋼矢板２２を並列した壁であるが、鋼管矢板を並列した壁にする。又は、コンクリート矢板を並列した壁にする。
【図面の簡単な説明】
【００４８】
【図１】本発明の実施形態における化粧パネルを示し、（ａ）は化粧パネルの裏面の図、（ｂ）は（ａ）のＡ−Ａ線断面図、（ｃ）は化粧パネルの配列方向前向き面の図、（ｄ）は化粧パネルの配列方向後向き面の図。
【図２】実施形態における連結具を拡大して示し、（ａ）は平面図、（ｂ）は背面図、（ｃ）は側面図。
【図３】実施形態において矢板壁に固定した受け具に化粧パネルを載せる直前の状態を示す縦断側面図。
【図４】同状態を示す平面図。
【図５】実施形態において矢板壁に化粧パネルを連結具で連結した状態を示す縦断側面図。
【図６】実施形態において前の既設化粧パネルの突出ボルトと次の化粧パネル１のボルト結合部が結合した状態と結合前の状態を示す平面図。
【図７】実施形態において矢板壁の上に蓋板を載せた状態を示す平面図。
【図８】実施形態における修景矢板壁の構築状態を示す縦断側面図。
【図９】実施形態において矢板壁に化粧パネルを接する施工例を示し、図５と同様な縦断側面図。
【図１０】同施工例を示し、図６と同様な平面図。
【符号の説明】
【００４９】
１  化粧パネル、修景パネル
２  配列方向前側部の凹部
３  配列方向後側部の凹部
４  固定具
５  インサートのねじ穴
６  ボルト結合部
７  ボルト差込部
８  逆Ｕ字形状の嵌込片
９  連結片
１０  収納部
１６  連結具
１７  ボルト孔、長孔
１８  ボルト
１９  ナット
２１  矢板壁、鋼製の矢板壁
２２  鋼矢板
３１  受け具
３２  連結腕
３６  蓋板
３７  コンクリート
【図１】
2007239383.tif 000003
【図２】
2007239383.tif 000004
【図３】
2007239383.tif 000005
【図４】
2007239383.tif 000006
【図５】
2007239383.tif 000007
【図６】
2007239383.tif 000008
【図７】
2007239383.tif 000009
【図８】
2007239383.tif 000010
【図９】
2007239383.tif 000011
【図１０】
2007239383.tif 000012